(57)【要約】【課題】自己採血の在宅検査キットは、インターネット上での申し込み、課金処理、等の作業は面倒である。また、検査結果の通知は、郵便等を利用するため、時間的制限がある。さらに、マニュアルを読解して自分で採血を行う際に失敗して一度で検査できないことがある。ユーザが容易に自己採血を行い、迅速に検査結果を確認することができるサービスを提供する必要がある。【解決手段】フィットネスクラブ等で自己採血検査をするためのスペースを設置し、ユーザの自己採血検査を看護師などが支援し、その場で検査結果用紙を手渡す。また、ユーザがインターネット上のサイトにコンピュータまたは携帯電話機からアクセスしてユーザＩＤとユーザパスワードを入力して検査結果を閲覧することができるようにする。本発明により、ユーザは、自己採血検査を容易に行い、迅速に検査結果を確認することができる。【選択図】図１
2009252218.tif 000002
【特許請求の範囲】
【請求項１】
自己採血検査のサービスを受けるユーザごとにＩＤおよびＩＤに対応したパスワードを発行する機能と、ユーザがコンピュータまたは携帯電話機からインターネットを介してユーザごとのＩＤおよびパスワードを入力してサイトのマイページにログインして検査結果通知先メールアドレス等を登録する機能と、サービス提供者がコンピュータまたは携帯電話機からインターネットを介して予め定められたＩＤおよびパスワードを入力してサイトの管理ページにログインしてユーザごとの検査結果等を入力する機能と、検査結果が前記の通りサービス提供者によって入力されると前記検査結果通知先メールアドレスに検査結果がメールで届く機能と、ユーザがコンピュータまたは携帯電話機からインターネットを介してユーザごとのＩＤおよびパスワードを入力してサイトのマイページにログインして検査結果の説明等を閲覧する機能と、を有する検査システム。
【発明の詳細な説明】
【技術分野】
【０００１】本発明は、自己採血検査のサービス提供方法に関する。
【背景技術】
【０００２】通常、自己採血検査は、糖尿病の患者が医療機関で手技を習った上で、採血用穿刺器具および血糖測定機を自身で日常的に使用している。【０００３】近年、自己採血の在宅検査キットをインターネット上から購入し、マニュアルに沿って自身で採血するサービスが実現されている。採血した検体は、郵送等により検査機関に送付し、検査結果は郵送や電子メールでの通知、インターネット上での検査結果閲覧により行われている。このような検査システムの例が特許文献１に記載されている。【０００４】
【特許文献１】特開平１７−４４３２５号公報
【発明の開示】
【発明が解決しようとする課題】
【０００５】在宅検査キットは、医療機関を受診せず、疾病の早期発見や予防を目的として利用できる点で、意義がある。しかし、インターネット上での申し込み、課金処理、等の作業は面倒である。そして、検査のマニュアルを読解して自分で採血を行うが、失敗して一度で検査できないことがある。さらに、採血した検体を郵送してから検査結果が郵便等で届くまでには時間的制約があり、迅速な検査結果は得られない。【０００６】本発明の目的は、医療機関に受診せずにフィットネスクラブ等で、ユーザが容易に自己採血を行い、迅速に検査結果を確認することができるサービスを提供することにある。
【課題を解決するための手段】
【０００７】自己採血検査のサービスを受けるユーザごとにＩＤおよびＩＤに対応したパスワードを発行する機能と、ユーザがコンピュータまたは携帯電話機からインターネットを介してユーザごとのＩＤおよびパスワードを入力してサイトのマイページにログインして検査結果通知先メールアドレス等を登録する機能と、サービス提供者がコンピュータまたは携帯電話機からインターネットを介して予め定められたＩＤおよびパスワードを入力してサイトの管理ページにログインしてユーザごとの検査結果等を入力する機能と、検査結果が前記の通りサービス提供者によって入力されると前記検査結果通知先メールアドレスに検査結果がメールで届く機能と、ユーザがコンピュータまたは携帯電話機からインターネットを介してユーザごとのＩＤおよびパスワードを入力してサイトのマイページにログインして検査結果の説明等を閲覧する機能と、を有する検査システム。
【発明の効果】
【０００８】本発明によると、ユーザは、自己採血検査を容易に利用し、迅速に検査結果を確認することができる。
【発明を実施するための最良の形態】
【実施例】
【０００９】図１は本発明による検査システムの構成を示す図である。本例の検査システムは、ユーザが利用するコンピュータまたは携帯電話機１１、サービス提供者が利用するコンピュータまたは携帯電話機１２、および、メインサーバ１３、を有する。ユーザが利用するコンピュータまたは携帯電話機１１とサービス提供者が利用するコンピュータまたは携帯電話機１２は、メインサーバ１３にインターネット１４によって接続されている。メインサーバ１３は、ＩＤおよびＩＤに対応したパスワードや検査結果等の情報を格納したデータベース１３１を備える。【００１０】図２はサービス提供方法を示す図である。サービス提供会社１５のサービス提供者１６は出店場所１７に採血用穿刺器具１６１および生化学全血迅速測定装置１６２を持ち込む。ユーザ１８に採血用穿刺器具１６１をサービス提供者１６から一時的に貸与（Ｔ１）する。サービス提供者１６は、例えば、自己採血検査を支援する看護師と検査受付などを行う事務スタッフとする。出店場所１７は、フィットネスクラブなどの施設である。生化学全血迅速測定装置１６２は、血糖値や総コレステロール、中性脂肪などを検査対象とする。サービス提供会社１５は、出店場所１７に対して、出店契約（Ｔ２）を結ぶ。【００１１】サービス提供者１６は自己採血検査を受けるユーザ１８のいるフィットネスクラブ等の施設と出店契約（Ｔ２）を結び、出店場所１７とする。【００１２】サービス提供者１６はユーザ１８に対してユーザごとにＩＤカードおよびＩＤに対応したパスワードを発行する。【００１３】サービス提供者１６は、ユーザ１８が検査を受ける前に、ユーザＩＤカードのＩＤ認証対応バーコードをバーコードリーダにより読み取って、サービスの受付をする。【００１４】ユーザ１８は採血用穿刺器具１６１の使用方法についてサービス提供者１６から説明を受け、自分で採血する。【００１５】サービス提供者１６はユーザ１８が採血した検体を生化学全血迅速測定装置１６２で検査する。【００１６】サービス提供者１６はユーザ１８に検査結果を記載した用紙を手渡す。【００１７】ユーザ１８がコンピュータまたは携帯電話機１１からインターネット１４を介してユーザごとのＩＤおよびパスワードを入力してメインサーバ１３にあるサイトのマイページにログインして検査結果通知先メールアドレス等を登録する。【００１８】サービス提供者１６がコンピュータまたは携帯電話機１２からインターネット１４を介して予め定められたＩＤおよびパスワードを入力してメインサーバ１３にあるサイトの管理ページにログインしてユーザごとの検査結果等を入力する。【００１９】サービス提供者１６によって前記管理ページで検査結果が入力されると前記検査結果通知先メールアドレスに検査結果がメールで届く。【００２０】ユーザ１８がコンピュータまたは携帯電話機１１からインターネット１４を介してユーザごとのＩＤおよびパスワードを入力してメインサーバ１３にあるサイトのマイページにログインして検査結果の説明等を閲覧する。
【図面の簡単な説明】
【００２１】
【図１】本発明の検査サービスシステムの構成を示す図である。
【図２】サービス提供方法を示す図である。
【符号の説明】
【００２２】１１．．．ユーザが利用するコンピュータまたは携帯電話機、１２．．．サービス提供者が利用するコンピュータまたは携帯電話機、１３．．．メインサーバ、１３１．．．データベース、１４．．．インターネット、１５．．．サービス提供会社、１６．．．サービス提供者、１６１．．．採血用穿刺器具、１６２．．．生化学全血迅速測定装置、１７．．．出店場所、１８．．．ユーザ、Ｔ１．．．ユーザに採血用穿刺器具を貸与、Ｔ２．．．出店契約
【図１】
2009252218.tif 000003
【図２】
2009252218.tif 000004